(57)【要約】      （修正有）【課題】簡素な構造で、通気性を良くしながら型崩れを起こさないよう被服等を保持可能であり、かつ輸送時や保管時の収納性にも富んだ被服用ハンガーを提供する。【解決手段】フック部２１，３１と両肩支持部２２，３２とが一体形成されたハンガー本体２，３を少なくとも一対備えた被服用ハンガーである。両肩支持部は、フック部から左右に延びかつ互いに嵌合するための合わせ面２３，３３を有した腕部２４，３４と、それぞれの合わせ面からその底部中央が最も外側に張り出すように凹形状をなすとともに複数の通気孔２６，３６が設けられた胴部２５，３５と、を備える。ハンガー本体を互いに嵌合させると、ハンガーの下方が開口した中空空間が形成される。また、フック部の少なくとも一方は、対応する合わせ面に対して、対応する胴部の張り出す方向とは反対方向に部分的に張り出すよう湾曲し、一体的に係合することが好ましい。【選択図】図２
0003166292.tif 000002
【実用新案登録請求の範囲】
【請求項１】
フック部と両肩支持部とが一体形成されたハンガー本体を少なくとも一対備えた被服用ハンガーであって、かつ、
前記ハンガー本体は互いに着脱自在に嵌合可能であり、
前記両肩支持部は、前記フック部から左右に延びかつ互いに嵌合するための合わせ面を有した腕部と、それぞれの合わせ面からその底部中央が最も外側に張り出すように凹形状をなすとともに複数の通気孔が設けられた胴部と、を備え、
前記ハンガー本体を互いに嵌合させると、前記ハンガーの下方が開口した中空空間が形成されることを特徴とする被服用ハンガー。
【請求項２】
前記フック部の少なくとも一方は、対応する前記合わせ面に対して、対応する前記胴部の張り出す方向とは反対方向に部分的に張り出すよう湾曲し、
前記ハンガー本体を互いに嵌合させると、前記フック部が互いに係合して一体的になることを特徴とする請求項１に記載の被服用ハンガー。
【請求項３】
前記合わせ面の各々には、嵌合させた際に互いに関連し合う凹部又は凸部の少なくともいずれかが形成されていることを特徴とする請求項１又は２に記載の被服用ハンガー。
【請求項４】
前記両肩支持部の厚さは薄く、かつ、一方の前記両肩支持部の形状及び寸法が、他方の前記両肩支持部の形状及び寸法と同一であることを特徴とする請求項１〜３のいずれかに記載の被服用ハンガー。
【請求項５】
前記通気孔の一部が、前記フック部の底部近くに配置されるように前記胴部の上部に設けられることを特徴とする請求項１〜４のいずれかに記載の被服用ハンガー。
【考案の詳細な説明】
【技術分野】
【０００１】
本考案は、被服用ハンガーに関するものであり、より詳しくは、被服を掛けた際に内側の通気性を良くしながら型崩れを起こさないよう保持可能でありかつ輸送時及び保管時の収納性にも富んだ被服用ハンガーに関するものである。
【背景技術】
【０００２】
従来から、衣類を整理・保管したり、洗濯物を干したりするためにハンガーが用いられている。しかしながら、通常よく見かける薄厚で扁平なハンガーでは、スーツ等を掛けた際に型崩れを起こし易く、洗濯物を掛けた際にも洗濯物の内側には空気が通過する空間が十分に確保されないために通気性が悪く洗濯物が乾きにくいといった不都合があった。後者の不都合は、日照時間の短い冬場には顕著になり、明日の衣類の用意まで心配になる場合もある。
【０００３】
このような不都合に対して、現在までに、例えば、特許文献１〜３に開示されるような技術が提案されている。ここで、特許文献１及び２に開示のハンガーは、前後二部品からなるハンガー本体と、フック部と、を少なくとも備えている。ハンガー本体はそれぞれ、湾曲形状をなすとともに多数の通気孔が設けられる。また、フック部を支持するフック受け部には、前記ハンガー本体を回動自在に支持する水平軸と、前記ハンガー本体間の距離をレバーによって変更可能なカムと、が設けられている。また、特許文献３には、フックの下部の両側に腕基部を設け、この腕基部の両側に長さ方向に沿って通気孔付きの腕本体をスライド自在に設けたハンガーが開示されている。
【０００４】
このような構成のハンガーは、確かに、衣類の型崩れの防止やその通気を良くするには有効な手段ではあるが、部品点数が多く、複雑で、生産コストの掛る構成になってしまう。さらに、一個だけでも非常に嵩張る構成となっており、ハンガーの輸送時や保管時における収納性や持ち運びに優れたものでは無かった。なお、これらは、組み付けた後では容易に分解できる工夫を凝らしたものでは無かった。
【先行技術文献】
【特許文献】
【０００５】
【特許文献１】特開平８−１３１６９０号公報
【特許文献２】登録実用新案第３０７１８６７号公報
【特許文献３】登録実用新案第３０７２６９２号公報
【考案の概要】
【考案が解決しようとする課題】
【０００６】
本考案は、このような従来の実情に鑑みて提案されたものであり、従来の技術が有する欠点を排除した被服用ハンガーを提供することを目的とする。すなわち、本考案は、簡素な構造で、通気性を良くしながら型崩れを起こさないよう被服等を保持可能であり、かつ輸送時や保管時の収納性にも富んだ被服用ハンガーに提供することを目的とする。
【課題を解決するための手段】
【０００７】
本考案者は鋭意検討した末、通気孔を備えたハンガー本体にフック部を一体形成すれば部品点数が減り、構成が非常に簡素になること、及び、フック部が互いに係合し易いように各フック部の配置・形状を決定すれば、ハンガー本体同士が一体に保持され易いことを見出し、本考案を完成するに至った。
【０００８】
すなわち、本考案は、次の構成・特徴を採用するものである。
（態様１）
フック部と両肩支持部とが一体形成されたハンガー本体を少なくとも一対備えた被服用ハンガーであって、かつ、
前記ハンガー本体は互いに着脱自在に嵌合可能であり、
前記両肩支持部は、前記フック部から左右に延びかつ互いに嵌合するための合わせ面を有した腕部と、それぞれの合わせ面からその底部中央が最も外側に張り出すように凹形状をなすとともに複数の通気孔が設けられた胴部と、を備え、
前記ハンガー本体を互いに嵌合させると、前記ハンガーの下方が開口した中空空間が形成されることを特徴とする被服用ハンガー。
（態様２）
前記フック部の少なくとも一方は、対応する前記合わせ面に対して、対応する前記胴部の張り出す方向とは反対方向に部分的に張り出すよう湾曲し、
前記ハンガー本体を互いに嵌合させると、前記フック部が互いに係合して一体的になることを特徴とする前記態様１に記載の被服用ハンガー。
（態様３）
前記合わせ面の各々には、嵌合させた際に互いに関連し合う凹部又は凸部の少なくともいずれかが形成されていることを特徴とする前記態様１又は２に記載の被服用ハンガー。
（態様４）
前記両肩支持部の厚さは薄く、かつ、一方の前記両肩支持部の形状及び寸法が、他方の前記両肩支持部の形状及び寸法と同一であることを特徴とする前記態様１〜３のいずれかに記載の被服用ハンガー。
（態様５）
前記通気孔の一部が、前記フック部の底部近くに配置されるように前記胴部の上部に設けられることを特徴とする前記態様１〜４のいずれかに記載の被服用ハンガー。
【考案の効果】
【０００９】
本考案の被服用ハンガーは、フック部と両肩支持部とが一体形成されたハンガー本体を二部品（一対）のみ用意することで実現することができるため、上述した従来技術に比べて非常に簡素な構造である。なお、対を成すハンガー本体（以下の詳細な説明においては、第１・第２ハンガー本体）はどちらも分離して通常のハンガーとして利用する可能である。
【００１０】
また、本考案のハンガーは、対を成すハンガー本体の両肩支持部は、フック部から左右に延びかつ互いに嵌合するための合わせ面を有した腕部と、それぞれの合わせ面からその底部中央が最も外側に張り出すように凹形状をなすために、ハンガーの下方が開口した大きな中空空間を形成することができる。これにより、被服を掛けた際に被服内側（前身頃と後身頃との間）に通気性の良い空間を確保することが可能になる。
【００１１】
さらに、本考案の好適な態様によれば、対を成すフック部が互いを補完するように部分的に張り出して係合する。これにより、これらのフック部が一部品のように一体的になるため、ハンガー本体同士の嵌合がより確実となり、物干しの際の取扱いも容易になる。また、別の好適な態様によれば、合わせ面の各々には、嵌合せた際に互いに関連し合う凹部又は凸部の少なくともいずれかが形成されているために、ハンガー本体同士の嵌合がより確実となり、物干しの際の取扱いや持ち運びがより簡便になる。
【００１２】
さらに、本考案の好適な態様によれば、ハンガー本体の両肩支持部は薄厚であり、かつ、ハンガー本体同士が同一形状及び同一寸法であるため、湾曲方向を同じ方向にするとこれらをコンパクトに重ねることができる。これにより、本考案のハンガーを大量に輸送したり、保管したりする際に省スペース化を図ることができる。この点は、前述の従来技術には見られない大きな利点である。
【００１３】
また、幾つかの通気孔をフック部下端に近接して配置することで、本考案のハンガーに掛けた洗濯物（例えば、上着）の上下ともに開口領域を確保できるため、被服内側空間の通気性をさらに良好にすることができる。
【図面の簡単な説明】
【００１４】
【図１】本考案の被服用ハンガーを示した斜視図である。
【図２】（ａ）は本考案の被服用ハンガーの構成部材である第１ハンガー本体を示した斜視図であり、（ｂ）は第２ハンガー本体の斜視図を示した図である。
【図３】（ａ）は本考案の被服用ハンガーの平面図を示した図あり、（ｂ）は底面図を示した図である。
【図４】（ａ）は本考案の被服用ハンガーの左側面図を示した図あり、（ｂ）は右側面図を示した図である。
【図５】（ａ）は本考案の被服用ハンガーの正面図を示した図あり、（ｂ）は背面図を示した図である。
【図６】第１ハンガー本体と第２ハンガー本体とを多数、重ねた状態を示した図である。
【図７】本考案のハンガーの使用状態での通気性を示した図である。
【考案を実施するための形態】
【００１５】
以下、本考案を図面に示す実施の形態に基づき説明するが、本考案は、下記の具体的な
実施形態に何等限定されるものではない。
【実施例】
【００１６】
（被服用ハンガーの構造）
図１は、本考案の被服用ハンガー１を示した斜視図である。図１に示すように、二つの本体部品が対をなすように構成され、ほぼ対称に配置されている。より具体的には、このハンガー１は、第１フック部２１と第１両肩支持部２２とが一体形成された第１ハンガー本体２と、第２フック部３１と第２両肩支持部３２とが一体形成された第２ハンガー本体３と、を備える。なお、原材料に樹脂を用いて本考案のハンガー１を射出成形で製作すれば、上記各要素を容易に一体形成できる。
【００１７】
本考案の被服用ハンガー１は、以上のように、フック部と両肩支持部とが一体形成されたハンガー本体を二部品（一対の部品）のみ用意することで実現することができるため、従来技術に比べて非常に簡素な構造である。なお、第１・第２ハンガー本体２，３はどちらも分離して通常のハンガーとして利用可能である。
【００１８】
図２の（ａ）及び（ｂ）に、それぞれ、第１ハンガー本体２の斜視図と第２ハンガー本体３の斜視図を示す。ここで、第１・第２ハンガー本体２，３の構成要素である第１・第２両肩支持部２２，３２は、第１・第２フック部２１，３１の底部から左右に延びかつ互いに嵌合するための合わせ面２３，３３を有した腕部２４，３４を備える。これらの腕部２４，３４は、ワイシャツやジャケットのような上着を掛けたり、その形状を良好に保持したりするのに役に立つ。
【００１９】
第１・第２両肩支持部２２，３２は、それぞれの合わせ面２３，３３からその底部中央が最も外側に張り出すように凹形状をなした胴部２５，３５をさらに備え、その胴部２５，３５には複数の通気孔２６，３６やこれらの胴部２５，３５の左右両端付近まで延びた開口部２７，３７が設けられている。開口部２７，３７の配設により、胴部２５，３５には、第１・第２両肩支持部２２，３２の両端を連結するように水平に延びた水平延長部２８，３８が画定されるようになる。
【００２０】
以上説明した第１・第２ハンガー本体２，３は、それぞれの合わせ面２３，３３を互いにあてがうことで、互いに着脱自在に嵌合可能である。また、より確実な嵌合を実現するために、それぞれの合わせ面２３，３３に互いに対応・相補する凹凸部（図２（ｂ）及び図６においては、符号２９ａ，２９ｂ，３９ａ，３９ｂを参照）を設けてもよい。図示の例では、第１ハンガー本体２の合わせ面２３には、嵌合せた際に第２ハンガー本体３の合わせ面３３上の凸部３９ｂ及び凹部３９ａに関連し合う凹部２９ａ及び凸部２９ｂが設けられている。なお、図示の例では、一方の合わせ面（例えば、符号２３）に凹部２９ａと凸部２９ｂとの双方ともが形成されているが、一方だけが形成されるようにしてもよい。
【００２１】
図３の（ａ）及び（ｂ）は、本考案の被服用ハンガー１の平面図及び底面図を示す。図３（ａ）に示すように、嵌合した状態のハンガー１を上方から観察すると、対をなす二枚の貝殻が閉じた状態にみえる。一方、図３（ｂ）に示すように、嵌合した状態のハンガー１を下方から観察すると、前記ハンガー１の下方が開口した中空空間が形成されることがわかる。これにより、被服を掛けた際に被服内側に通気性の良い空間４（前身頃と後身頃との間隔）を十分に確保することが可能になる。
【００２２】
ところで、本考案の第１・第２フック部２１，３１の構成及び互いの係合の仕方は、以下詳述するように、従来には見られない非常に独創的な技術思想を含んでいる。具体的には、図４（ａ）及び（ｂ）に示すように、第１・第２フック部２１，３１の少なくとも一方（図示の例では、双方）は、対応する合わせ面２３，３３に対して、対応する胴部２５，３５の張り出す方向とは反対方向に部分的に張り出すよう湾曲している（図示の湾曲部２１ａ，３１ｂを参照）。
【００２３】
より好適には、第１・第２フック部２１，３１の厚さは同一であり、かつ、一方のハンガー本体（例えば、符号２）のフック部２１が、組み付けた状態で、他方のハンガー本体３の両肩支持部３２の上方に配置するように、他方のハンガー本体３に向かって当該厚さ分だけ出っ張るように互いに湾曲している。従って、図５に示すように、フック部２１，３１同士が互いに絡みつくように湾曲し、一纏まりの一体感のあるフック部としての外観を呈するため、どちらのハンガー本体２，３に属するフック部２１，３１であるか一見では判別できない程である。フック部２１，３１が以上のように一体的に係合するために、ハンガー本体同士２，３の嵌合をより確実にすることができる。
【００２４】
なお、組み付ける際には、一方のハンガー本体（例えば、符号２）を、他方のハンガー本体（例えば、符号３）に対してそのフック部２１が前方に若干傾斜した状態を保ちながら横方向から滑り込ませるように動かして、互いの合わせ面２３，３３及び凹凸部２９ａ，２９ｂ，３９ａ，３９ｂを嵌め合わせることによって行う。なお、前述のように一方のハンガー本体２のフック部２１を傾斜させておけば、合わせ面同士２３，３３が若干離間するために、凹凸部２９ａ，２９ｂ，３９ａ，３９ｂの嵌合をより円滑に行うことができる。
【００２５】
第１・第２フック部２１，３１が以上のような独特な構造であるため、第１・第２ハンガー本体２，３を互いに嵌合させると、第１・第２フック部２１，３１が互いに良好に係合して一体的になるため、ハンガー本体２，３同士の嵌合がより確実となり、物干しの際の取扱いも容易になる。
【００２６】
また、本考案の実施例のように、第１・第２両肩支持部２２，３２の厚さは薄く、かつ、第１両肩支持部２２の形状及び寸法が第２両肩支持部３２の形状及び寸法と同一であることがさらに好ましい。このように構成することにより、ハンガー本体２，３の一方の向きを反転させてその湾曲方向を同じ方向にすれば、図６に示すように、これらを非常にコンパクトに重ねることができる。つまり、本考案のハンガー１が多数用意されたとしても、第１ハンガー本体２と第２ハンガー本体３とを纏まり良く重ね合わせて収納することができる。これにより、本考案のハンガー１を大量に輸送したり、保管したりする際に省スペース化を図ることができる。この点は、前述の従来技術には見られない大きな利点である。
【００２７】
なお、上記好適な構成のハンガー１を樹脂から作れば、第１両肩支持部２を作るための金型をそのまま第２両肩支持部３の金型にも適用できるため製造コストを格段に抑えることができる長所もある。
【００２８】
また、本考案の実施例のように、通気孔２６，３６の一部が、フック部２１，３１の底部に近くに配置されるように胴部２５，３５の上部に設けられることが好ましい。このような構成を採用することにより、図７に示すように、本考案のハンガー１に掛けた洗濯物（例えば、上着）の上下ともに開口領域を確保できるため、被服内側の空間４の通気性をさらに良好に保つことができる。
【００２９】
以上の実施例に基づいて本考案のハンガー１を説明したが、以上の具体的な構成に必ずしも限定されない。例えば、フック部２１，３２の寸法・形状を維持したまま両肩支持部２２，３２の寸法・形状を比較的小さくした構成を採用することも可能である。これにより、本考案は、大人用のハンガーだけでなく、子供用のハンガーとしても提供することが可能になる。
【００３０】
また、前述の実施例では、少なくとも一対のハンガー本体２，３として、二部品からなる構成を例示して説明したが、必ずしもこれに限定されず、例えば、四部品からなる構成であってもよい。
【産業上の利用可能性】
【００３１】
以上説明したように、本考案の被服用ハンガーは、被服を掛けた際に内側の通気性を良くしながら型崩れを起こさないよう保持可能でありかつ輸送時及び保管時の収納性にも富んでいる。本考案のハンガーは洗濯物が乾きにくい冬場には特にその通気性能を発揮するが、その他の季節であっても、その構成部材である第１・第２ハンガー本体を分離して通常のハンガーとして供することもできる。従って、本考案の被服用ハンガーは、産業上の利用可能性が非常に高い。
【符号の説明】
【００３２】
１    被服用ハンガー
２    第１ハンガー本体
３    第２ハンガー本体
４    中空空間
２１    第１フック部
２２    第１両肩支持部
２３    合わせ面
２４    腕部
２５    胴部
２６    通気孔
２７    開口部
２８    水平延長部
２９ａ，２９ｂ    凹部，凸部
３１    第２フック部
３２    第２両肩支持部
３３    合わせ面
３４    腕部
３５    胴部
３６    通気孔
３７    開口部
３８    水平延長部
３９ａ，３９ｂ    凹部，凸部
【図１】
0003166292.tif 000003
【図２】
0003166292.tif 000004
【図３】
0003166292.tif 000005
【図４】
0003166292.tif 000006
【図５】
0003166292.tif 000007
【図６】
0003166292.tif 000008
【図７】
0003166292.tif 000009